(57)【要約】【課題】媒体の搬送路の内部の開閉を容易にしつつ、媒体の走行への影響を低減すること。【解決手段】搬送装置本体（１）の内部を開放する内部開放位置と媒体（Ｇｉ）を案内可能な第２の搬送可能位置との間で移動可能に支持された第２の開閉部材（６）と、第２の開閉部材（６）に設けられ、予め設定された搬送可能な最大の媒体（Ｇｉ）の媒体幅方向の端の位置よりも外側に配置された前記被停止部（６）と、搬送装置本体（１）に対して着脱可能に支持された停止部材（８）であって、第２の搬送可能位置に移動した第２の開閉部材（６）の被停止部（６ｃ）に対して、前記第２の開閉部材（６）の内部開放位置への移動方向の下流側に近接して配置されて、被停止部（６ｃ）に接触して第２の開閉部材（６）の移動を規制可能な停止部材（８）と、を備えたことを特徴とする媒体搬送装置（Ｕ１）。【選択図】図５
2012008383.tif 000002
【特許請求の範囲】
【請求項１】
媒体が搬送される媒体搬送路が内部に形成された搬送装置本体と、
前記搬送路を搬送される媒体を案内する第１の案内面を有し、前記搬送路を開放する搬送路開放位置と、前記搬送路を前記媒体が搬送可能な第１の搬送可能位置と、の間で、前記搬送装置本体に対して回転可能に支持された第１の開閉部材と、
前記第１の案内面に対向して配置され且つ前記搬送路を搬送される媒体を案内する第２の案内面を有し、前記第１の開閉部材が前記搬送路開放位置に移動した場合において、前記搬送装置本体の内部を開放する内部開放位置と、前記第２の案内面が媒体を案内可能な第２の搬送可能位置との間で移動可能に支持された第２の開閉部材と、
前記第２の開閉部材に設けられた被停止部であって、前記媒体の搬送方向に対して交差する媒体幅方向に対して、予め設定された搬送可能な最大の媒体の媒体幅方向の端の位置よりも外側に配置された前記被停止部と、
前記搬送装置本体に対して着脱可能に支持された停止部材であって、前記第２の搬送可能位置に移動した前記第２の開閉部材の前記被停止部に対して、前記第２の開閉部材の前記内部開放位置への移動方向の下流側に近接して配置されて、前記被停止部に接触して前記第２の開閉部材の移動を規制可能な前記停止部材と、
を備えたことを特徴とする媒体搬送装置。
【請求項２】
前記第１の開閉部材に形成され、前記第１の開閉部材が前記第１の搬送可能位置に移動した場合に前記停止部材を収容する停止収容部と、
前記第１の開閉部材の外表面と前記停止収容部との間に配置され、且つ、前記停止部材の外部への露出を防止する露出防止部と、
を備えたことを特徴とする請求項１に記載の媒体搬送装置。
【請求項３】
前記第２の開閉部材の前記第２の搬送可能位置から前記内部開放位置への移動方向に対して交差する方向に沿って、前記搬送装置本体に対して着脱される前記停止部材と、
を備えたことを特徴とする請求項１または２に記載の媒体搬送装置。
【請求項４】
画像が記録された原稿により構成された前記媒体を、予め設定された画像読み取り位置に向けて搬送する請求項１ないし３のいずれかに記載の媒体搬送装置と、
前記画像読み取り位置において原稿の画像を読み取る画像読取部と、
を備えたことを特徴とする画像読取装置。
【請求項５】
原稿の画像を読み取る請求項４に記載の画像読取装置と、
前記画像読取装置で読み取られた画像を媒体に記録する画像記録部と、
を備えたことを特徴とする画像形成装置。
【発明の詳細な説明】
【技術分野】
【０００１】
本発明は、媒体搬送装置、画像読取装置及び画像形成装置に関する。
【背景技術】
【０００２】
従来の画像形成装置や画像読取装置、いわゆる、スキャナーにおいて媒体を搬送する媒体搬送装置に関して、以下の特許文献１に記載の技術が知られている。
【０００３】
特許文献１としての特開２００４−３３６２７５号公報には、複写機本体（１）の画像入力部（１５０）において、原稿（Ｐ）の第１面を読み取るスキャナーユニット（１５４）と、スキャナーユニット（１５４）に対して原稿搬送方向上流側の搬送路上に配置されて原稿（Ｐ）の第２面を読み取る第２読取ユニット（６０）とを備えた構成において、ジャム処理時に開くことが可能なカバー（７０）を開いた状態で、搬送路の外側ガイドが解放され、搬送路の内側ガイドの内部に支持された第２読取ユニット（６０）が交換可能な構成が記載されている。
【先行技術文献】
【特許文献】
【０００４】
【特許文献１】特開２００４−３３６２７５号公報（図１、図３）
【発明の概要】
【発明が解決しようとする課題】
【０００５】
本発明は、媒体の搬送路の内部の開閉を容易にしつつ、媒体の走行への影響を低減することを技術的課題とする。
【課題を解決するための手段】
【０００６】
前記技術的課題を解決するために、請求項１に記載の発明の媒体搬送装置は、
媒体が搬送される媒体搬送路が内部に形成された搬送装置本体と、
前記搬送路を搬送される媒体を案内する第１の案内面を有し、前記搬送路を開放する搬送路開放位置と、前記搬送路を前記媒体が搬送可能な第１の搬送可能位置と、の間で、前記搬送装置本体に対して回転可能に支持された第１の開閉部材と、
前記第１の案内面に対向して配置され且つ前記搬送路を搬送される媒体を案内する第２の案内面を有し、前記第１の開閉部材が前記搬送路開放位置に移動した場合において、前記搬送装置本体の内部を開放する内部開放位置と、前記第２の案内面が媒体を案内可能な第２の搬送可能位置との間で移動可能に支持された第２の開閉部材と、
前記第２の開閉部材に設けられた被停止部であって、前記媒体の搬送方向に対して交差する媒体幅方向に対して、予め設定された搬送可能な最大の媒体の媒体幅方向の端の位置よりも外側に配置された前記被停止部と、
前記搬送装置本体に対して着脱可能に支持された停止部材であって、前記第２の搬送可能位置に移動した前記第２の開閉部材の前記被停止部に対して、前記第２の開閉部材の前記内部開放位置への移動方向の下流側に近接して配置されて、前記被停止部に接触して前記第２の開閉部材の移動を規制可能な前記停止部材と、
を備えたことを特徴とする。
【０００７】
請求項２に記載の発明は、請求項１に記載の媒体搬送装置において、
前記第１の開閉部材に形成され、前記第１の開閉部材が前記第１の搬送可能位置に移動した場合に前記停止部材を収容する停止収容部と、
前記第１の開閉部材の外表面と前記停止収容部との間に配置され、且つ、前記停止部材の外部への露出を防止する露出防止部と、
を備えたことを特徴とする。
【０００８】
請求項３に記載の発明は、請求項１または２に記載の媒体搬送装置において、
前記第２の開閉部材の前記第２の搬送可能位置から前記内部開放位置への移動方向に対して交差する方向に沿って、前記搬送装置本体に対して着脱される前記停止部材と、
を備えたことを特徴とする。
【０００９】
前記技術的課題を解決するために、請求項４に記載の発明の画像読取装置は、
画像が記録された原稿により構成された前記媒体を、予め設定された画像読み取り位置に向けて搬送する請求項１ないし３のいずれかに記載の媒体搬送装置と、
前記画像読み取り位置において原稿の画像を読み取る画像読取部と、
を備えたことを特徴とする。
【００１０】
前記技術的課題を解決するために、請求項５に記載の発明の画像形成装置は、
原稿の画像を読み取る請求項４に記載の画像読取装置と、
前記画像読取装置で読み取られた画像を媒体に記録する画像記録部と、
を備えたことを特徴とする。
【発明の効果】
【００１１】
請求項１、４、５に記載の発明によれば、最大の媒体の媒体幅方向の端の位置よりも外側に配置された被停止部を停止させる着脱可能な停止部材を有しない構成に比べて、媒体の搬送路の内部の開閉を容易にしつつ、媒体の走行への影響を低減することができる。
請求項２に記載の発明によれば、露出防止部を有しない場合に比べて、停止部材の損傷を低減することができる。
請求項３に記載の発明によれば、第２の開閉部材の移動方向に沿った方向に停止部材が着脱される構成に比べて、第２の開閉部材に押されて停止部材が脱落することを低減できる。
【図面の簡単な説明】
【００１２】
【図１】図１は本発明の実施例１の画像形成装置の斜視図である。
【図２】図２は実施例１の画像形成装置の縦断面図である。
【図３】図３は実施例１の自動原稿搬送装置において第１の開閉部材が搬送路開放位置に移動し且つ第２の開閉部材が第２の搬送可能位置に移動した状態の説明図であり、図３Ａは斜視図、図３Ｂは図３Ａの矢印ＩＩＩＢ方向から見た図である。
【図４】図４は実施例１の自動原稿搬送装置において第１の開閉部材が搬送路開放位置に移動し且つ第２の開閉部材が内部開放位置に移動した状態の説明図である。
【図５】図５は実施例１の停止部材の説明図であり、図５Ａは停止部材が装着された状態の説明図、図５Ｂは停止部材が取り外された状態の説明図である。
【図６】図６は実施例１の停止部材の説明図であり、図６Ａは斜視図、図６Ｂは図６Ａの矢印ＶＩＢ方向から見た図、図６Ｃは図６Ａの矢印ＶＩＣ方向から見た図である。
【発明を実施するための形態】
【００１３】
次に図面を参照しながら、本発明の実施の形態の具体例としての実施例を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１４】
図１は本発明の実施例１の画像形成装置の斜視図である。
図２は実施例１の画像形成装置の縦断面図である。
図１において、本発明の実施例１の画像形成装置の一例としてのデジタル式の複写機Ｕは、媒体搬送装置の一例としての自動原稿搬送装置Ｕ１と、前記自動原稿搬送装置Ｕ１を支持する透明な原稿台の一例としてのプラテンガラスＰＧを上端に有する画像形成装置本体の一例としてのデジタル式の複写機本体Ｕ２とを有する。自動原稿搬送装置Ｕ１は、前記プラテンガラスＰＧ上面に着脱可能且つ図示しない回転軸を中心として上方に回転可能に装着されている。
【００１５】
図２において、前記自動原稿搬送装置Ｕ１は、媒体の一例としての複写しようとする原稿Ｇｉが収容される原稿供給部の一例としての原稿給紙トレイＴＧ1を有する。前記原稿給紙トレイＴＧ１に収容された複数の各原稿Ｇｉは、原稿送出部材の一例としての原稿ピックアップロールＲｇ１により取り出され、原稿分離部材の一例としての原稿捌きロールＲｇ２に搬送される。原稿捌きロールＲｇ２は、複数枚の原稿が搬送されてきた場合には１枚づつ分離して、媒体搬送路の一例としての原稿搬送路ＳＨ０を搬送されて、原稿捌きロールＲｇ２の下流側に配置された原稿搬送部材の一例としての原稿搬送ロールＲｇ３に搬送する。
【００１６】
原稿搬送ロールＲｇ３により下流側に搬送された原稿Ｇｉは、時期調整部材の一例としての原稿レジロールＲｇ４により一旦停止してから、予め設定された時期に前記プラテンガラスＰＧ上に設定された画像読取位置の一例としての原稿読込位置ＰＧ１に搬送される。
前記原稿読込位置ＰＧ１を通過した原稿Ｇｉは、原稿搬送部材の一例としての原稿搬送ローラＲｇ５、原稿排出部材の一例としての原稿排出ローラＲｇ６により、原稿排出部の一例としての原稿排紙トレイＴＧ２に排出される。
【００１７】
図２において、前記複写機本体Ｕ２は、操作部の一例としてのユーザインタフェースＵＩと、前記プラテンガラスＰＧの下方に配置された画像読取部の一例としてのスキャナ部Ｕ２ａと、スキャナ部Ｕ２ａの下方に配置された画像記録部の一例としてのプリンタ部Ｕ２ｂとを有する。
上面に透明なプラテンガラスＰＧを有するスキャナ部Ｕ２ａの内部には、露光系基準位置の一例としてのプラテンレジ位置に配置された検出部材の一例としての露光系レジセンサＳｐと、露光光学系Ａとが配置されている。
【００１８】
前記露光光学系Ａは、左右方向に移動可能に支持されており、その移動および停止が露光系レジセンサＳｐの検出信号により制御され、常時は前記露光系レジセンサによって検出される初期位置の一例としてのホーム位置に停止している。
実施例１の自動原稿搬送装置Ｕ１を使用して複写を行う自動複写動作の場合は、前記露光光学系Ａはホーム位置に停止した状態で、プラテンガラスＰＧ上に設定された原稿読込位置ＰＧ１を順次通過する各原稿Ｇｉを露光する。
原稿Ｇｉを作業者が手でプラテンガラスＰＧ上に置いて複写を行う手動複写動作の場合、露光光学系Ａは右方に移動、すなわち、スキャンしながらプラテンガラスＰＧ上の原稿を露光走査する。
【００１９】
露光された前記原稿Ｇｉからの反射光は、前記露光光学系Ａを介して撮像素子の一例としての受像部ＣＣＤ上に収束される。前記受像部ＣＣＤは、その撮像面上に収束された原稿反射光を電気信号に変換する。
前記スキャナ部Ｕ２ａおよび自動原稿搬送装置Ｕ１により、実施例１の画像読取装置Ｕ１＋Ｕ２ａが構成されている。
【００２０】
また、受像部ＣＣＤからの信号は、画像処理部ＧＳに入力され、画像処理部ＧＳは、受像部ＣＣＤから入力された読込画像信号を読込画像情報の一例としてのデジタル画像データに変換して読込画像を作成、一時記憶し、デジタル画像データをプリンタ部Ｕ２ｂの書込駆動回路の一例としてのレーザ駆動回路ＤＬに出力する。
前記レーザ駆動回路ＤＬは、入力されたデジタル画像データに応じたレーザ駆動信号を潜像書込装置ＲＯＳに出力する。前記画像処理部ＧＳ、前記レーザ駆動回路ＤＬ、電源回路Ｅ等は、制御部の一例としてのコントローラＣにより作動を制御される。
【００２１】
前記潜像書込装置ＲＯＳの下方には、像保持体の一例として、矢印Ｙｐ方向に回転する感光体ドラムＰＲが配置されている。前記感光体ドラムＰＲ表面は、帯電領域Ｑ０において帯電部材の一例としての帯電ロールＣＲにより帯電された後、潜像書込位置Ｑ１において潜像書込装置ＲＯＳの潜像書込み光の一例としてのレーザビームＬにより露光走査されて静電潜像が形成される。
前記静電潜像が形成された感光体ドラムＰＲ表面は回転移動して現像領域Ｑ２、画像記録位置の一例としての転写領域Ｑ４を順次通過する。
【００２２】
前記現像領域Ｑ２において、静電潜像を可視像に現像する現像器Ｄは、現像剤保持体の一例としての現像ロールＲ０を有し、現像剤を現像ロールＲ０により現像領域Ｑ２に搬送し、前記現像領域Ｑ２を通過する感光体ドラムＰＲ表面の静電潜像を可視像の一例としてのトナー像Ｔｎに現像する。
前記転写領域Ｑ４において、感光体ドラムＰＲに対向する転写部材の一例としての転写ロールＴＲは、感光体ドラムＰＲ表面のトナー像Ｔｎを媒体の一例としてのシートＳに転写する転写電圧が電源回路Ｅから供給される。前記帯電ロールＣＲに印加する帯電電圧や、現像ロールＲ０に印加する現像電圧、転写ロールＴＲに印加する転写電圧、後述の定着装置Ｆの加熱ロールのヒータを加熱する電力を供給する電源回路Ｅは前記コントローラＣにより制御される。
【００２３】
複写機本体Ｕ１の下部には、媒体給紙部の一例としての第１給紙トレイＴＲ１および第２給紙トレイＴＲ２が上下に並んで配置されている。
前記各給紙トレイＴＲ１，ＴＲ２の左上端部には、取り出し部材の一例としてのピックアップロールＲｐが配置されており、ピックアップロールＲｐにより取り出されたシートＳは、給紙トレイＴＲ１，ＴＲ２の左側部分では上下に延び、給紙トレイＴＲ１の上側部分では水平に延びる媒体搬送路の一例としての給紙路ＳＨ１に搬送される。
【００２４】
給紙路ＳＨ１の上下に延びる部分である給紙トレイＴＲ１，ＴＲ２の右側部分には、捌き部材の一例としての捌きロールＲｓが配置されている。捌きロールＲｓは、シートＳを搬送する搬送部材の一例としてのフィードロールＲｓ1と、シートＳを停止させて分離する分離部材の一例としてのリタードロールＲｓ2とを有する。ピックアップロールＲｐにより捌きロールＲｓにシートＳが複数枚重なって搬送された場合、フィードロールＲｓ１が接触するシートＳを下流側に送ると共に、リタードロールＲｓ２が重なったシートＳを停止させることで１枚づつ分離されて、給紙路ＳＨ１に搬送される。給紙路ＳＨ１の上下に延びる部分の上端部には、正逆回転可能な搬送部材の一例としての搬送ロールＲｂが配置されている。給紙路ＳＨ１に搬送された前記シートＳは正逆転回転可能な搬送ロールＲｂの正回転により上方に搬送され、後述するシート反転接続路ＳＨ５との分岐路に配置された搬送切替部材の一例としての第１のゲートＧＴ１により、給紙路ＳＨ１の水平に延びる部分である第１給紙トレイＴＲ１の上側部分を通って、媒体搬送路の一例としての上流側シート搬送路ＳＨ２に搬送される。
【００２５】
上流側シート搬送路ＳＨ２に搬送されたシートＳは、媒体搬送部材の一例としての搬送ロールＲａにより、送出し時期調整部材の一例としてのレジロールＲｒに搬送される。前記レジロールＲｒに搬送されたシートＳは、感光体ドラムＰＲ表面のトナー像Ｔｎが転写領域Ｑ４に移動する時期に合わせて、案内部材の一例としての転写前シートガイドＳＧ1から転写領域Ｑ４に搬送される。
前記感光体ドラムＰＲ表面のトナー像Ｔｎは、前記転写領域Ｑ４において、転写ロールＴＲによりシートＳに転写される。転写された後の感光体ドラムＰＲ表面は、清掃器の一例としての感光体クリーナＣＬ1によりクリーニングされて残留トナーが除去され、序伝部材の一例としての感光体除電器ＪＬにより除電されてから、前記帯電ロールＣＲにより再帯電される。
前記感光体ドラムＰＲ、帯電ロールＣＲ、潜像書込装置ＲＯＳ、現像装置Ｄ、転写ロールＴＲ、感光体クリーナＣＬ1、感光体除電器ＪＬ等により画像記録部材ＰＲ＋ＣＲ＋ＲＯＳ＋Ｄ＋ＴＲ＋ＣＬ1＋ＪＬが構成されている。
【００２６】
前記転写領域Ｑ４のシート搬送方向下流側には、転写領域Ｑ４でトナー像が転写されたシートＳが搬送される媒体搬送路の一例としての下流側搬送路ＳＨ３が設けられている。前記下流側搬送路ＳＨ３には、案内部材の一例としてのシートガイドＳＧ2や、媒体搬送部材の一例としてのシート搬送ベルトＢＨ、定着装置Ｆが配置されている。
前記転写領域Ｑ４において転写ロールＴＲによりトナー像が転写された前記シートＳは、感光体ドラムＰＲ表面から剥離され、下流側搬送路ＳＨ３のシートガイドＳＧ2、シート搬送ベルトＢＨにより定着装置Ｆに搬送される。
【００２７】
前記定着装置Ｆは、互いに接触して回転する加熱定着部材の一例としての加熱ロールＦｈおよび加圧定着部材の一例としての加圧ロールＦｐとを有しており、それらの接触領域により定着領域Ｑ５が形成されている。前記定着装置Ｆの加熱ロールＦｈ内部には、図示しない発熱体の一例としてのヒータが内蔵されており、定着装置Ｆは定着領域Ｑ５を通過する記録シートＳ上の未定着トナー像を加熱定着する。
トナー像が加熱定着されたシートＳは、媒体搬送路の一例としてのシート排出路ＳＨ４を通って、媒体排出部の一例としての排紙トレイＴＲｈに搬送される。
【００２８】
前記シート排出路ＳＨ４には、前記定着装置Ｆの下流側に搬送切替部材の一例としての第２のゲートＧＴ２が配置されている。第２のゲートＧＴ２は、前記定着装置Ｆを通過したシートＳの搬送方向を排紙トレイＴＲｈ側またはシート反転接続路ＳＨ５のいずれかの方向に切り替える。シート反転用接続路ＳＨ５は、前記シート排出路ＳＨ４の定着装置Ｆの下流側部分と前記給紙路ＳＨ１とを接続する。定着装置Ｆを通過して１面のトナー像が定着された１面目画像記録済の記録シートＳは、前記シート反転用接続路ＳＨ５に搬送された場合、シート反転用接続路ＳＨ５と給紙路ＳＨ１との接続部に配置された第１のゲートＧＴ１を下方に通過して搬送ロールＲｂの逆回転により前記給紙路ＳＨ１を下方に搬送される。前記シートＳの後端が第１のゲートＧＴ１を通過すると、搬送ロールＲｂが正回転することにより、搬送方向が逆転、いわゆるスイッチバックして上方に搬送される。前記スイッチバックして上方に搬送された記録シートＳは、第１のゲートＧＴ１により、給紙路ＳＨ１および上流側シート搬送路ＳＨ２を順次搬送されて前記レジロールＲｒに再送され、前記転写領域Ｑ４を通過する際に２面目に画像が転写される。
【００２９】
（自動原稿搬送装置Ｕ１の説明）
図３は実施例１の自動原稿搬送装置において第１の開閉部材が搬送路開放位置に移動し且つ第２の開閉部材が第２の搬送可能位置に移動した状態の説明図であり、図３Ａは斜視図、図３Ｂは図３Ａの矢印ＩＩＩＢ方向から見た図である。
図４は実施例１の自動原稿搬送装置において第１の開閉部材が搬送路開放位置に移動し且つ第２の開閉部材が内部開放位置に移動した状態の説明図である。
図１、図３、図４において、自動原稿搬送装置Ｕ１は、複写機本体Ｕ２に対して、後端で左右方向に延びる図示しない回転軸を中心として上方に回転可能に支持された搬送装置本体１を有する。搬送装置本体１は、左部前端の前壁部１ａと、後端部の後壁部１ｂと、前記原稿排紙トレイＴＧ２が上面に形成された底壁部１ｃとを有する。前記前壁部１ａの右端と後壁部１ｂとの間には、前記原稿給紙トレイＴＧ１が回転中心２を中心として回転可能に支持されている。
【００３０】
前記原稿給紙トレイＴＧ１には、原稿Ｇｉの搬送方向に交差する幅方向の両端部に接触して揃える端揃え部材の一例としてのサイドタンパ３が、原稿Ｇｉの大きさに応じて前後方向に移動可能に支持されている。実施例１のサイドタンパ３は、予め設定された搬送可能な最大の原稿Ｇｉの幅Ｌ１に対応可能に設定されている。
前記原稿給紙トレイＴＧ１の左側には、上流案内部材の一例としての上流ガイドプレート４が、搬送装置本体１に固定支持されている。前記上流ガイドプレート４には、捌きロールＲｇ２の下側のロールＲｇ２ｂが通過する開口４ａが形成されている。
【００３１】
図５は実施例１の停止部材の説明図であり、図５Ａは停止部材が装着された状態の説明図、図５Ｂは停止部材が取り外された状態の説明図である。
図３〜図５において、上流ガイドプレート４の左方、すなわち、原稿搬送方向下流側には、第２の開閉部材の一例としての内カバー６が配置されている。実施例１の内カバー６の上面には、第２の案内面の一例として、原稿搬送路ＳＨ０を搬送される原稿Ｇｉの下面を案内する下ガイド面６ａが形成されている。なお、実施例１の内カバー６の前後方向の幅Ｌ２は、最大の原稿Ｇｉの幅Ｌ１よりも長く設定されている。図５Ａにおいて、内カバー６は、右端部の回転中心６ｂを中心として回転可能に支持されており、図３、図５Ａに示す第２の搬送可能位置と、図４に示す内部開放位置との間で移動可能に支持されている。したがって、図４に示す内部開放位置に内カバー６が移動した状態では、内カバー６よりも内側に配置された部材、例えば、回転体の一例としてのローラＲｇ４〜Ｒｇ６や、検出部材の一例としての図示しないセンサ等の点検や交換等の保守作業が可能になる。
前記内カバー６の後端部には、上方に延びる舌片状、板状の被停止部６ｃが形成されている。図３、図５において、実施例１の被停止部６ｃは、最大の原稿Ｇｉが通過する領域に対応する幅Ｌ１の端よりも外側、すなわち、幅Ｌ１の後端よりも後側に配置されている。
【００３２】
図６は実施例１の停止部材の説明図であり、図６Ａは斜視図、図６Ｂは図６Ａの矢印ＶＩＢ方向から見た図、図６Ｃは図６Ａの矢印ＶＩＣ方向から見た図である。
図５において、後壁部１ｂには、第２の搬送可能位置に内カバー６が移動した状態における被停止部６ｃの上方、すなわち、内カバー６の内部開放位置への移動方向の下流側には、停止支持部の一例としてロック支持口７が形成されており、ロック支持口７には、停止部材の一例としての内カバーロック８が着脱可能に支持されている。
図５、図６において、実施例１の内カバーロック８は、上下一対の板状のプレート部１１，１２と、各プレート部１１，１２の間に配置された中央板部１３と、各プレート部１１，１２から中央板部１３側に延びる連結部１４とを有する。上側のプレート部１１の上面の後端には、ロック支持口７の縁に接触可能に構成されて、内カバーロック８が過剰に押し込まれてロック支持口７を後方に通過しないようにするための押込み防止部１６が、上方に張り出した爪状に形成されている。
【００３３】
前記中央板部１３には、前方に延びた後、左右方向外側に延びる略Ｕ字形状の摘み部１７が形成されており、作業者や利用者が摘み部１７を左右方向から挟むように摘むことで摘み部１７が弾性変形可能に構成されている。前記摘み部１７の左右方向外端には、停止固定部の一例として、外方に張り出すロック固定爪１８が形成されており、内カバーロック８がロック支持口７に装着された状態で、ロック固定爪１８の前面がロック支持口７の内側、すなわち、後側の縁に接触して、内カバーロック８の抜け止めがされるように構成されている。なお、実施例１の内カバーロック８は、前記符号１１〜１８を付した各部が、樹脂材料により一体形成されている。
【００３４】
したがって、実施例１の内カバーロック８は、ロック支持口７に装着された状態では、押込み防止部１６がロック支持口７の前側の縁に接触すると共に、ロック固定爪１８がロック支持口７の後側の縁に接触した状態で保持される。
図３、図５Ａにおいて、内カバーロック８がロック支持口７に装着された状態では、内カバー６が内部開放位置に向けて移動しようとしても、被停止部６ｃに近接して配置された内カバーロック８が被停止部６ｃに接触、干渉して、内カバー６の移動が規制される。
そして、内カバー６の内側の保守作業等を行う場合には、摘み部１７を摘んだ状態で前方、すなわち、内カバー６が回転移動する上下方向に交差する媒体幅方向に移動させることで、図５Ｂに示すように内カバーロック８が取り外され、被停止部６ｃが内カバーロック８に干渉することが無くなり、内カバー６が図４に示す内部開放位置に移動可能になる。
【００３５】
なお、図３〜図５において、内カバー６の原稿搬送方向下流側には、案内部材の一例としての原稿ガイド２１，２２，２３や原稿搬送ロールＲｇ３等が配置されている。
図１、図３〜図５において、内カバー６の上方には、第１の開閉部材の一例としての外カバー２６が配置されている。前記外カバー２６は、前壁部１ａと後壁部１ｂの左端部において前後方向に延びる図示しない回転軸を中心として、図１に示す第１の搬送可能位置と、図３、図４に示す搬送路開放位置との間で移動可能に支持されている。したがって、実施例１の自動原稿搬送装置Ｕ１では、外カバー２６が搬送路開放位置に移動し且つ内カバーロック８が取り外されると内カバー６が第２の搬送可能位置から内部開放位置に移動可能になると共に、内カバーが第２の搬送可能位置に移動すると外カバー２６が搬送路開放位置から第１の搬送可能位置に移動して原稿Ｇｉの搬送が可能な状態となる。
【００３６】
図３、図４において、外カバー２６の下面には、第１の案内面の一例としての原稿上ガイド２６ａが形成されており、外カバー２６が第１の搬送可能に位置に移動した状態で、原稿上ガイド２６ａが上流ガイドプレート４や下ガイド面６ａ、原稿ガイド２１と対向し、原稿搬送路ＳＨ０を構成して、原稿搬送路ＳＨ０を搬送される原稿Ｇｉの上面を案内する。外カバー２６の下面の右端部には、原稿ピックアップロールＲｇ１と、原稿捌きロールＲｇ２の上側のロールＲｇ２ａと、が回転可能に支持されており、上側のロールＲｇ２は、外カバー２６が第１の搬送可能位置に移動した場合に、図２に示すように、下側のロールＲｇ２ｂに対向、接触する。
【００３７】
図３Ａ、図３Ｂにおいて、外カバー２６の後端部には、外カバー２６が第１の搬送可能位置に移動した状態における内カバーロック８に対応する位置に、停止収容部の一例として、凹部状に形成されたロック収容部２７が形成されている。図３Ｂにおいて、外カバー２６には、ロック収容部２７の外側、すなわち、外カバー２６が図１に示す第１の搬送可能位置に移動した状態における上側であって、外カバー２６が図３、図４に示す搬送路開放位置に移動した状態における左側に、露出防止部の一例としてのロック隠し部２８が形成されている。したがって、図１に示すように、外カバー２６が第１の搬送可能位置に移動した状態では、内カバーロック８は、ロック収容部２７に収容され、ロック隠し部２８や後壁部１ｂにより外部への露出が制限されている。
前記各ローラＲｇ１〜Ｒｇ６や原稿搬送路ＳＨ０、符号１〜２８を付した各部材等により、実施例１の媒体搬送装置の一例としての自動原稿搬送装置が構成されている。
【００３８】
（実施例１の作用）
前記構成を備えた実施例１の複写機Ｕでは、自動原稿搬送装置Ｕ１で紙詰まり等が発生した場合には、図３に示すように外カバー２６が搬送路開放位置に移動して、原稿搬送路ＳＨ０が開放されて詰まった原稿Ｇｉの除去が可能となる。そして、内カバー６の内側に配置された部品の劣化や故障、損耗等に伴う点検や交換等の保守作業が行われる場合には、内カバーロック８が取り外され、内カバー６が内部開放位置に移動して、保守作業が可能となる。
【００３９】
特許文献１に記載の構成のような従来の構成では、原稿の案内面を有する内カバーは、ネジ等で固定されることが一般的である。ネジで固定された構成では、ネジが搬送路内に飛び出さないように、内カバーに切り欠き形状や孔や凹部等を形成する必要があるが、切り欠き等を形成すると、切り欠き等の部分で原稿が引っ掛かったり、こすれたり等して、原稿の走行に悪影響が与えることがあった。また、ネジの位置が奥まった位置に配置された場合には、工具の一例としての一般的なドライバーでネジを締めたり緩めたりすることができず、特殊工具が必要となり、保守作業が困難になるという問題もあった。
これらに対して、実施例１の複写機Ｕでは、画像形成動作が行われる通常時には内カバーロック８で内カバー６の回転が規制されて、原稿Ｇｉの案内が行われると共に、着脱可能な内カバーロック８を取り外されると内カバー６が開放可能になっており、ネジで固定された従来の構成に比べて保守作業が容易に実行可能になっている。また、内カバーロック８および被停止部６ｃは、最大の原稿Ｇｉの幅Ｌ１よりも外側に配置されており、内カバーロック８および被停止部６ｃが原稿Ｇｉの走行に影響を与えることが低減されており、原稿Ｇｉの引っ掛かりやこすれ等の発生が低減されている。
【００４０】
また、実施例１の内カバーロック８は、ロック固定爪１８でロック支持口７に装着されると共に、摘み部１７が摘まれると弾性変形して、取り外しが可能な構成、いわゆるスナップフィットにより構成されている。したがって、内カバーロック８の着脱作業も容易に実行可能であると共に、装着時には位置決めされた状態で確実に固定されて内カバー６の移動が規制される。特に、実施例１の内カバーロック８は、着脱される方向が前後方向に設定され、内カバー６が移動する方向である上下方向と交差する方向に設定されており、内カバーロック８を取り外さずに内カバー６を誤って開放しようとしても、内カバー６に押されて内カバーロック８が脱落することが低減されており、内カバー６の移動の規制が確実に行われる。
さらに、実施例１の内カバーロック８は、ロック隠し部２８や後壁部１ｂに囲まれて外部への露出が制限されており、外カバー２６が第１の搬送可能位置に移動した状態で、内カバーロック８が外部に露出せず、外部からの異物が接触等して、内カバーロック８が破損等することが低減されている。
【００４１】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ08）を下記に例示する。
（Ｈ01）前記実施例において、画像形成装置の一例としての複写機Ｕを例示したが、これに限定されず、例えば、プリンタ、ＦＡＸあるいはこれらの複数または全ての機能を有する複合機等により構成することも可能である。また、画像形成装置に限定されず、画像読取装置単体、いわゆるスキャナ単体の構成とすることも可能である。
（Ｈ02）前記実施例において、プリンタＵとして、単色の現像剤が使用される構成を例示したが、これに限定されず、例えば、２色以上の多色の画像形成装置にも適用可能である。
【００４２】
（Ｈ03）前記実施例において、内カバー６等の構成を、原稿搬送路ＳＨ０に使用した構成を例示したが、これに限定されず、複写機本体Ｕ２側の媒体の搬送路ＳＨ１〜ＳＨ５に適用することも可能である。
（Ｈ04）前記実施例において、ロック隠し部２８や後壁部１ｂのように内カバーロック８の露出を制限する構成を設けることが望ましいが、省略することも可能である。
（Ｈ05）前記実施例において、内カバーロック８の着脱方向は、内カバー６の移動方向に交差する方向に設定することが望ましいが、内カバー６の移動方向に沿った方向とすることも可能である。
【００４３】
（Ｈ06）前記実施例において、内カバーロック８をロック支持口７に着脱可能に支持する構成は、スナップフィット構造を採用することが望ましいが、これに限定されず、従来公知の着脱可能な構成を採用可能である。例えば、バネ等を利用して装着するための爪が出没可能な構成としたり、軽圧入の構成としたり、磁力を利用して固定したり等の構成を採用可能である。また、鍵と鍵穴の関係を採用して、挿入した状態で回転させることで、装着された状態と取り外し可能な状態とを切り替え可能な構成とすることも可能である。
（Ｈ07）前記実施例において、内カバーロック８は、内カバー６の後端部に１箇所設ける構成としたが、複数箇所に設ける構成とすることも可能である。
【００４４】
（Ｈ08）前記実施例において、内カバー６の内側には保守作業の対象となる部品が配置される構成を例示したが、これに限定されず、例えば、空気の流路や必要な空間、清掃対象の空間等の任意の構成とすることも可能である。
【符号の説明】
【００４５】
１…搬送装置本体、
６…第２の開閉部材と、
６ａ…第２の案内面、
６ｃ…被停止部、
８…停止部材、
２６…第１の開閉部材、
２６ａ…第１の案内面、
２７…停止収容部、
２８…露出防止部、
Ｇｉ…原稿、
Ｇｉ，Ｓ…媒体、
ＰＧ１…画像読み取り位置、
ＳＨ０…媒体搬送路、
Ｕ…画像形成装置、
Ｕ１…媒体搬送装置、
Ｕ１＋Ｕ２ａ…画像読取装置、
Ｕ２ａ…画像読取部、
Ｕ２ｂ…画像記録部。
【図１】
2012008383.tif 000003
【図２】
2012008383.tif 000004
【図３】
2012008383.tif 000005
【図４】
2012008383.tif 000006
【図５】
2012008383.tif 000007
【図６】
2012008383.tif 000008